(57)【特許請求の範囲】
【請求項１】
被診断装置の印刷タイミングの調整を前記被診断装置に通信回線を介して接続された診断装置を用いて遠隔で行う画像位置ずれ遠隔調整方法において、
前記被診断装置が、
印刷プロセスに使用される色材毎に用意される単色Ｌ字パターンを隣接させ規則性を持って複数生成出力する工程と、
前記出力された単色Ｌ字パターンを順次読み取ってＲＧＢ信号として取り込む工程と、
前記ＲＢＧ信号毎に基準色とその補色関係にある色材の前記単色Ｌ字パターンを構成する２本の直線の交点座標を計測する工程と、
基準Ｌ字パターンを構成する２本の直線の交点座標に対する前記計測した各色材の単色Ｌ字パターンを構成する２本の直線の交点座標の相対座標位置を計測して、当該計測した相対座標位置とあらかじめ規定された理想相対座標位置と比較して前記各色材の単色Ｌ字パターンの主走査方向ならびに副走査方向の位置ずれ量をそれぞれ計測する工程と、
前記計測した前記各色材の単色Ｌ字パターンの主走査方向ならびに副走査方向の位置ずれ量を前記診断装置に送信する工程と、を順次行い、
前記診断装置が、前記通信回線経由で受信した前記位置ずれの判定を行い必要に応じてその調整を指示する工程を行う
ことを特徴とする画像位置ずれ遠隔診断方法。
【請求項２】
被診断装置の印刷タイミングの調整を前記被診断装置に通信回線を介して接続された診断装置を用いて遠隔で行う画像位置ずれ遠隔調整方法において、
前記被診断装置が、
印刷プロセスに使用される色材毎に用意される単色Ｌ字パターンを隣接させ規則性を持って複数生成出力する工程と、
前記出力された単色Ｌ字パターンを順次読み取ってＲＧＢ信号として取り込む工程と、
前記ＲＢＧ信号毎に基準色とその補色関係にある色材の前記単色Ｌ字パターンを構成する２本の直線の交点座標を計測する工程と、
基準Ｌ字パターンを構成する２本の直線の交点座標に対する前記計測した各単色Ｌ字パターンを構成する２本の直線の交点座標の相対座標位置を計測して、当該計測した相対座標位置とあらかじめ規定された理想相対座標位置とを比較することにより前記色材毎の単色Ｌ字パターンの主走査方向ならびに副走査方向の位置ずれ量をそれぞれ計測する工程と、
前記色材毎に複数用意された各単色Ｌ字パターンに対してそれぞれ算出した位置ずれ量の色材毎の平均値及び最大値を求める工程と、
前記求めた各色材毎の位置ずれ量の平均値及び最大値を規格値と比較することによりカラー画像における位置ずれ量を計測し、前記通信回線経由で前記診断装置へ送信する工程と、を順次行い、
前記診断装置が、前記通信回線経由で受信した前記位置ずれの判定を行い必要に応じてその調整を指示する工程を行う
ことを特徴とする画像位置ずれ遠隔調整方法。
【請求項３】
被診断装置の印刷タイミングの調整を前記被診断装置に通信回線を介して接続された診断装置を用いて遠隔で行う画像位置ずれ遠隔調整システムにおいて、
前記被診断装置が、印刷プロセスに使用される色材毎に用意される単色Ｌ字パターンを隣接させ規則性を持って複数生成出力する印刷装置と、前記印刷装置から出力された単色Ｌ字パターンを順次読み取ってＲＧＢ信号として取り込む画像入出力装置と、
前記画像入出力装置からＲＧＢ信号毎に基準色とその補色関係にある色材の前記単色Ｌ字パターンを構成する２本の直線の交点座標を計測した後、基準Ｌ字パターンを構成する２本の直線の交点座標に対する前記計測した各単色Ｌ字パターンを構成する２本の直線の交点座標の相対座標位置を計測して、当該計測した相対座標位置とあらかじめ規定された理想相対座標位置とを比較することにより前記色材毎の単色Ｌ字パターンの主走査方向ならびに副走査方向の位置ずれ量をそれぞれ計測して前記通信回線経由で前記診断装置へ送信する送信装置と、を備え、
前記診断装置が、前記送信された位置ずれ量と規格値と比較することによってカラー画像における位置ずれ調整量を算出し、当該調整量に基づき印刷タイミングの調整を指示する調整指示装置と、前記調整量を前記通信回線経由で前記被診断装置へ送信する送信装置と、を備えた
ことを特徴とする遠隔調整システム。
【請求項４】
前記印刷装置が、前記診断装置から送信された調整量に基づいて印刷タイミングの調整を行う
ことを特徴とする請求項３に記載の画像位置ずれ遠隔診断システム。
【請求項５】
診断装置に対して印刷プロセスに使用される色材毎の位置ずれ量を送信する被診断装置のコンピュータに、
前記印刷プロセスに使用される色材毎に用意される単色Ｌ字パターンを読み取るステップと、
前記読み取られたＬ字パターンをＲＧＢの画像パターンとして取り込み記録するステップと、
ＲＧＢ信号毎に、黒とその補色関係にある色材の前記単色Ｌ字パターンを構成する２本の直線の交点座標を計測するステップと、
前記黒のＬ字パターンを構成する２本の直線の交点座標を基準に前記計測した各色材の単色Ｌ字パターンを構成する２本の直線の相対交点座標を求めるステップと、
前記求められた相対位置座標を設計値である相対位置座標と比較して設計値に対する位置ずれ量を算出するステップと、
前記色材毎に複数用意された各単色Ｌ字パターンに対してそれぞれ算出した位置ずれ量の色材毎の平均値及び最大値を求めるステップと、
を順次行わせるプログラムが記録されたコンピュータ読み取り可能な記録媒体。
【発明の詳細な説明】
【０００１】
【発明の属する技術分野】
本発明は、複写機やプリンタによって再現される画像品質のうち、カラー画像の位置精度を検査し、その遠隔診断または調整を行う、画像位置ずれ遠隔診断方法ならびにそのシステム及び同方法がプログラムされ記録される記録媒体に関する。
【０００２】
【従来の技術】
ＯＡ（オフィスオートメーション）の普及に伴い、オフィスでは、各種情報機器が文字や画像等の画像情報の出力を行っている。この代表的なものは、原稿の複写を行う複写機であり、また、情報処理機器本体によって処理されたデータを出力するプリンタである。
【０００３】
上記した複写機あるいはプリンタは、感光ドラム上に静電潜像を形成し、ＣＣＤ等撮像素子を用いて画像情報の読取りを行って現像を行い、あるいはサーマルヘッド等の記録ヘッドを用いて用紙上に画像の印刷を行っている。
【０００４】
このような情報機器を工場で設計、製造し、出荷する際には、再現された画像の検査が行なわれる。最近ではカラー複写あるいはカラー記録が一般化してきており、これらについての画像の検査も必要となっている。検査対象がカラー画像の場合、所定の色以外の色についてはいくつかの色を混合することによってその再現が行なわれる。すなわち、静電複写機や感熱転写式のプリンタにおいて、カラー画像の印刷を行う場合には、シアン（Ｃ）、マゼンタ（Ｍ）、イエロー（Ｙ）の３色材によって、あるいはこれにブラックＢを加えた４色材によって画像の形成を行う。このような色材を順次重ね合わせて印刷を行なう場合には、カラー再現性を左右する１つの因子としての色ずれ量が問題となる。すなわち１色ごとに色の再現を行う工程で色ずれが発生すると、特に線画や文字の部分で画像の品質が著しく劣化することになる。
【０００５】
【発明が解決しようとする課題】
上述したように、カラー印刷装置では、ＫＣＭＹ４色のトナー、インクにより印刷を行い、ＣＭＹ色の重ね合わせによって色を合成している。この合成過程において重ね合わせる色の位置がずれると本来の色とは異なる色が合成されることになり、特に、線画や文字部分では画像の品質が著しく劣化する。
【０００６】
例えば、青色の文字はマゼンタとシアンの原色混合によって再現されるが、印刷の工程でこれらの２色の位置がずれると、文字がぼけてしまい、非常に読みづらいものとなる。また絵柄の画像の場合には、位置ずれの影響が印刷される絵柄自体に現れてしまい、正確な色再現を行うことができないという問題がある。
【０００７】
そこで、従来から再現された画像に対して色ずれ量を測定することが行なわれている。従来、このような色ずれ量の測定は、被検査対象物であるカラー画像を顕微鏡を用いて拡大投影し、検査者が色ずれを直接読取るという方法によっていた。あるいは、非検査対象物としてのパターンを、シアン、マゼンタ、イエロー、ブラックの各色材を順に隣接させ一直線上に配置した検査パターンを用意し、これをコンピュータによって読み取って画像の色ずれ量の最大値を検出し、この色ずれ量の最大値に基づいてカラー画像の検査を行うようにしていた。
【０００８】
しかしながら前者によれば、検査者が主体となるため、検査者が異なった場合に測定値あるいは検査結果が変化し、また、検査者の精神的疲労や肉体的疲労に基づく心理的な影響が測定値や検査結果に反映され、正確な測定あるいは検査が困難な状況にあった。また、後者によれば、測定や検査は、自動化されるものの、測定された色ずれ量と実際のカラー画像を目で見たときに受ける色ずれ感との間には相違があり、人間の視覚に正確に対応した色ずれ量の検査が不可能であった。また、後者によれば、各色材を順に隣接させ一直線上に配置した検査パターンを用いて検査を行うため、主走査方向、あるいは副走査方向のいずれか一方しか計測、検査できないといった不都合を有していた。
【０００９】
本発明は上記事情に鑑みてなされたものであり、印刷プロセスに使用される色材毎用意される単色Ｌ字検査パターンを隣接させ規則性をもって複数生成出力し、その出力された検査パターンをスキャナで読みとって位置ずれ量を演算することによって主走査方向、副走査方向の位置ずれ量を計測し、規格値と比較することによって調整量を算出し規格内になるように遠隔診断を行う、画像位置ずれ遠隔診断方法ならびにそのシステム及び同方法がプログラムされ記録される記録媒体を提供することを目的とする。
【００１０】
【課題を解決するための手段】
上記課題を解決するためになされた請求項１に記載の発明は、被診断装置の印刷タイミングの調整を前記被診断装置に通信回線を介して接続された診断装置を用いて遠隔で行う画像位置ずれ遠隔調整方法において、前記被診断装置が、印刷プロセスに使用される色材毎に用意される単色Ｌ字パターンを隣接させ規則性を持って複数生成出力する工程と、前記出力された単色Ｌ字パターンを順次読み取ってＲＧＢ信号として取り込む工程と、前記ＲＢＧ信号毎に基準色とその補色関係にある色材の前記単色Ｌ字パターンを構成する２本の直線の交点座標を計測する工程と、基準Ｌ字パターンを構成する２本の直線の交点座標に対する前記計測した各色材の単色Ｌ字パターンを構成する２本の直線の交点座標の相対座標位置を計測して、当該計測した相対座標位置とあらかじめ規定された理想相対座標位置と比較して前記各色材の単色Ｌ字パターンの主走査方向ならびに副走査方向の位置ずれ量をそれぞれ計測する工程と、前記計測した前記各色材の単色Ｌ字パターンの主走査方向ならびに副走査方向の位置ずれ量を前記診断装置に送信する工程と、を順次行い、前記診断装置が、前記通信回線経由で受信した前記位置ずれの判定を行い必要に応じてその調整を指示する工程を行うこととする。
【００１１】
請求項２に記載の発明は、被診断装置の印刷タイミングの調整を前記被診断装置に通信回線を介して接続された診断装置を用いて遠隔で行う画像位置ずれ遠隔調整方法において、前記被診断装置が、印刷プロセスに使用される色材毎に用意される単色Ｌ字パターンを隣接させ規則性を持って複数生成出力する工程と、前記出力された単色Ｌ字パターンを順次読み取ってＲＧＢ信号として取り込む工程と、前記ＲＢＧ信号毎に基準色とその補色関係にある色材の前記単色Ｌ字パターンを構成する２本の直線の交点座標を計測する工程と、基準Ｌ字パターンを構成する２本の直線の交点座標に対する前記計測した各単色Ｌ字パターンを構成する２本の直線の交点座標の相対座標位置を計測して、当該計測した相対座標位置とあらかじめ規定された理想相対座標位置とを比較することにより前記色材毎の単色Ｌ字パターンの主走査方向ならびに副走査方向の位置ずれ量をそれぞれ計測する工程と、前記色材毎に複数用意された各単色Ｌ字パターンに対してそれぞれ算出した位置ずれ量の色材毎の平均値及び最大値を求める工程と、前記求めた各色材毎の位置ずれ量の平均値及び最大値を規格値と比較することによりカラー画像における位置ずれ量を計測し、前記通信回線経由で前記診断装置へ送信する工程と、を順次行い、前記診断装置が、前記通信回線経由で受信した前記位置ずれの判定を行い必要に応じてその調整を指示する工程を行うこととする。
【００１２】
このことにより、印刷プロセスに使用される各色材のずれ量の平均値と最大値によってカラー画像における色ずれを検査するようにしたため、人間の視覚により正確に対応した色ずれ量の検査が可能となり、また、そのずれ量に基づく印刷タイミングの遠隔診断を自動で行うことができる。
【００１３】
請求項３に記載の発明は、被診断装置の印刷タイミングの調整を前記被診断装置に通信回線を介して接続された診断装置を用いて遠隔で行う画像位置ずれ遠隔調整システムにおいて、前記被診断装置が、印刷プロセスに使用される色材毎に用意される単色Ｌ字パターンを隣接させ規則性を持って複数生成出力する印刷装置と、前記印刷装置から出力された単色Ｌ字パターンを順次読み取ってＲＧＢ信号として取り込む画像入出力装置と、前記画像入出力装置からＲＧＢ信号毎に基準色とその補色関係にある色材の前記単色Ｌ字パターンを構成する２本の直線の交点座標を計測した後、基準Ｌ字パターンを構成する２本の直線の交点座標に対する前記計測した各単色Ｌ字パターンを構成する２本の直線の交点座標の相対座標位置を計測して、当該計測した相対座標位置とあらかじめ規定された理想相対座標位置とを比較することにより前記色材毎の単色Ｌ字パターンの主走査方向ならびに副走査方向の位置ずれ量をそれぞれ計測して前記通信回線経由で前記診断装置へ送信する送信装置と、を備え、前記診断装置が、前記送信された位置ずれ量と規格値と比較することによってカラー画像における位置ずれ調整量を算出し、当該調整量に基づき印刷タイミングの調整を指示する調整指示装置と、前記調整量を前記通信回線経由で前記被診断装置へ送信する送信装置と、を備えたこととする。
【００１４】
また、請求項４に記載の発明は、前記印刷装置が、前記診断装置から送信された調整量に基づいて印刷タイミングの調整を行うこととする。
【００１６】
上記各構成により、印刷プロセス色に対応して生成される単色のＬ字パターンの縦線及び横線の位置が検出され、更にその交点座標が算出され、あらかじめ規定された理想座標位置と比較することにより、主走査方向ならびに副走査方向の色ずれを、自動で、かつ、人間の視覚に正確に対応した検査を可能とする検査装置を提供できる。また、計測された位置ずれ量を規格値と比較することにより、カラー画像における位置ずれ調整量を算出し遠隔診断が可能となるほかに、当該調整量に基づき印刷タイミングの調整を遠隔地において自動で行うことが可能となる。
【００１７】
請求項５に記載の発明は、診断装置に対して印刷プロセスに使用される色材毎の位置ずれ量を送信する被診断装置のコンピュータに、前記印刷プロセスに使用される色材毎に用意される単色Ｌ字パターンを読み取るステップと、前記読み取られたＬ字パターンをＲＧＢの画像パターンとして取り込み記録するステップと、ＲＧＢ信号毎に、黒とその補色関係にある色材の前記単色Ｌ字パターンを構成する２本の直線の交点座標を計測するステップと、前記黒のＬ字パターンを構成する２本の直線の交点座標を基準に前記計測した各色材の単色Ｌ字パターンを構成する２本の直線の相対交点座標を求めるステップと、前記求められた相対位置座標を設計値である相対位置座標と比較して設計値に対する位置ずれ量を算出するステップと、前記色材毎に複数用意された各単色Ｌ字パターンに対してそれぞれ算出した位置ずれ量の色材毎の平均値及び最大値を求めるステップと、を順次行わせるプログラムが記録されたこととする。
【００１９】
【発明の実施の形態】
図１は、本発明の一実施形態を示すブロック図である。図において、１は検査装置であり、後述する検査シートに印刷されたＬ字パターンを取り込んでカラー画像の位置ずれの計測、及び検査を行う。ここでは検査装置としてパーソナルコンピュータが使用され、検査のために規格値との比較処理も行う。また、その結果を外部接続されるコンピュータ（図示せず）に通信回線経由で送信し、診断もしくは、ずれ量調整のための処理を委ねる。詳細は後述する。
【００２１】
上記構成において概略動作を説明すると以下のようになる。すなわち、画像入出力ボード２を介して被検査装置である、例えばプリンタ、あるいは複写機に対して検査パターンデータを出力し、その検査パターンを読み込む。この画像読み取り完了後、各色パターンの位置計測を行い、パターン設計値（理想位置）とのずれ量を算出し、規格値と比較して合否判定を行う。詳細はフローチャートを参照しながら後述する。
【００２２】
図２は本発明の他の実施形態を示すブロック図である。ここでは、被検査装置４として、複写機の他にプリンタが接続され、それぞれ、専用ビデオインタフェース７、専用プリンタインタフェース９を介し、パターンジェネレータボード３に接続される。なお、画像読み取りのための計測用スキャナ５かが検査装置１にＳＣＳＩ（Small  Computer  System  Bus）もしくはＵＳＢ（Universal  Serial  Bus）等のスキャナインタフェースを介して接続されることもある。上記した検査装置１及びパターンジェネレータボード３の内部構成等、詳細については後述する。
【００２３】
図３は、本発明において使用される検査シートに印刷されるカラー画像位置ずれ計測用パターン例を示す。ここでは、印刷プロセスで使用される色材（トナー／インク）である、シアン（Ｃ）、マゼンタ（Ｍ）、イエロー（Ｙ）、ブラック（Ｂ）毎に用意される単色のＬ字パターンを１区画あたり各４個隣接して配置し、これを複数連続して検査シート１０を構成する全面に配置（プリント）したものを使用する。
【００２４】
検査シート１０に対する印刷領域は、四隅とも、紙端より６ｍｍ内側とし、形状は図３（ａ）に示すとおりＬ字とし、このＬ字パターンの線長は縦横ともに１１４ドット、線幅２ドットであり、１２ドット距離を置いて他色のＬ字パターンが配置されるものとする。すなわち、１区画領域内にＣＭＹＢのそれぞれに相当するＬ字パターン、逆Ｌ字パターン、９０度回転したＬ字パターン、９０度回転した逆Ｌ字パターンが隣接して配置される。なお、図中の数字は、いずれも非検査装置４の解像度が４００ｄｐｉ時のドット数を表すものとする。検査シートに印刷される連続パターンの例が図３（ｂ）に示されている。
【００２５】
なお、Ｌ字パターンの大きさ（各色の線長、間隔、及び太さ）は、小さければ小さいほど密度の濃い計測が可能になるが、それと共に誤認識、誤検出の確率が高くなる。具体的にＬ字パターン間の間隔が広すぎると、本来同位置での位置ずれを検出する目的と特性が異なる可能性が有り、狭すぎると、パターン位置のずれに対しての許容量が小さくなり、誤計測の確率が高くなる。また、パターンが大きすぎると、計測する密度が粗くなり、小さすぎるとパターンの位置ずれに対しての許容量が小さくなり、誤計測の確率が高くなる。更に、線幅が細すぎると線がかすれやすくなり、太すぎると線位置（中心位置）の計測誤差が大きくなりやすい。従って、計測仕様に合わせて最適な値を設定する必要がある。
【００２６】
また、上記パターンはルーペによる目視検査も可能であるが、目視による感覚的な評価には４色のインク（トナー）を同一位置に重ね合わせ、その線が色づいて見えるか否か判断するのが最も簡単である。そのためには、主副走査両方とも同時に見るためには十文字パターンが有効である。従って、ここでは、図３（ｃ）（ｄ）に示すように目視評価用の十文字パターンと、上記した機械検査用のＬ字パターンを行あるいは列方向に交互に配置することにより両者に共用できる計測パターンとなる。
【００２７】
上記したパターンは、フォトレタッチ等市販の画像作成／加工ソフトウェアを使用して作成するものとする。ここでは、米国アドビ社製のＰｈｏｔｏｓｈｏｐバージョン５．５を使用するものとする。この場合、まず、パターン１個の大きさ（２４０×２４０ドット）に関し、ＣＭＹカラーでパターンを作成するファイルを開く。次にそのファイル一杯にＫＣＭＹの各色相当のＬ字パターンを作成する。パターン濃度は１００％とする。これで１個の単一パターンが完成し、これを複数配置して検査パターンを完成させる。そして、作成したパターンの全領域を選択してパターン登録し、保存終了する。次に、最終的に作成する検査パターンの大きさ、例えばＡ３サイズのＣＭＹカラーでファイルを開く。そして開いたファイル全域を指定し、登録パターンで塗り潰しを行う。
【００２８】
図４は、図１、図２に示す検査装置１の内部構成を示すブロック図である。検査装置１は、ＣＰＵ１１を制御中枢とし、主記憶装置１２、ハードディスク装置１３がシステムバス１５に共通接続されて成る。図示しないが、他にキーボードマウスや表示モニタも専用のコントローラを介してシステムバスに接続される。また、システムバス１５はバスブリッジ１４を介してＰＣＩバス３と連結され、ＰＣＩバス３には上記したように画像メモリを内蔵する画像入出力装置２（３）が接続される。
【００２９】
主記憶装置１２には、ＯＳ（基本ソフトウェア）として、ここでは米国マイクロソフト社製のＷｉｎｄｏｗｓ９８が常駐するものとし、パターンジェネレータ１２２、プリンタドライバ１２３、スキャナドライバ１２４が画像入出力のためのソフトウェアツールとして割り付けられ格納される。また、上記したＰｈｏｔｏｓｈｏｐ等画像作成、加工ソフトウェア１２５、更には、後述するパターン計測、評価プログラムも割り付けられ格納される。１２７は上記した画像作成、加工プログラム１２６、パターン計測、評価プログラム１２６等応用ソフトウェアにより使用されるワーク領域であり、更に、ハードディスク装置１３にも比較的容量の大きなワーク領域が割り当てられる。
【００３０】
図５は、本発明の画像色ずれ検査装置の実施形態を示す機能ブロック図であり、具体的には、図４に示すＣＰＵ１１が主記憶装置１２に格納されたパターン計測・評価プログラムを実行した場合の機能ブロック図に相当する。
【００３１】
図に示すように、本発明の画像色ずれ検査装置は、パターン生成出力部１１１、カラー画像抽出部１１２、ワークメモリ１１３、パターン切り出し部１１４、交点座標計測部１１５、相対位置算出部１１６、ずれ量算出部１１７、制御部１１８、論理演算部１１９、テーブルメモリ１２０、タイミング調整部１２１で構成される。
【００３２】
パターン生成出力部１１１は、図１に示す複写機（被検査装置）のスキャナ部、あるいは図２に示すスキャナ装置５を介してスキャンされたパターンを取り込んでカラー画像抽出部１１２に供給する。カラー画像抽出部１１２は、取り込んだ画像をＲ、Ｇ、Ｂ画像毎所定量抽出してワークメモリ１１３へ吐き出す。ワークメモリ１１３は図４に示す主記憶装置１２のワークエリア１２７またはハードディスク装置１３のワーク領域に相当する。パターン切り出し部１１４は、Ｒ、Ｇ、Ｂ毎、ワークメモリ１１３から１区画相当のＬ字パターンを切り出して交点座標計測部１１５に供給する。
【００３３】
交点座標計測部１１５は、後述するアルゴリズムに従いＲ、Ｇ、Ｂのそれぞれを構成する色のＬ字パターンの交点座標を求めて相対位置算出部１１６へ供給する。相対位置算出部１１６は、先に求めた交点座標を基準に色パターンの交点座標の相対位置を算出し、ずれ量算出部１１７へ渡す。ずれ量算出部１１７は、相対位置算出部で求めた相対座標をテーブルメモリ１２０に理想値としてあらかじめ定義された相対座標と比較してずれ量を算出して論理演算部１１９へ出力する。制御部１１８は、交点座標計測部、相対位置算出部、ずれ量算出部１１７、論理演算部１１９による各演算の順序制御を司る。論理演算部１１９は、ずれ量算出部１１７で算出されるずれ量を色パターンのずれ量として蓄積し、検査シート全面のパターンに対して算出したずれ量の平均値と最大値を求め、あらかじめ定義されテーブルメモリ１２０に記録された規格値と比較することにより、合否判定を行う。タイミング調整部１２１は、論理演算部１１９によって更に、カラー画像における位置ずれ調整量が算出され、当該算出された調整量に基づき印刷タイミングの調整を行う。処理の流れ等詳細はフローチャートを用いて後述する。
【００３４】
図６、図７は、それぞれ、図１、図２に示す画像入出力装置の内部構成を示すブロック図である。
【００３５】
図６は複写機接続のための画像入出力装置の構成を示し、本画像入出力装置２は、カラー画像情報がビットマップ形式で展開される画像メモリ２１を核とし、画像制御回路２２、データセレクタ２３、ＰＣＩバスインタフェース２４で構成される。画像入出力装置２は、検査装置１とは、ＰＣＩバス６を介し、また、複写機４とは専用のビデオインタフェース７を介して接続され、複写機４にデータを出力するときは専用のビデオインタフェースを介して直接に、また、検査装置１から画像メモリ２１をアクセスするときは内部のローカルバス２４を介しバス変換を行いながらデータの入出力がなされる。
【００３６】
図７は、プリンタ接続のための画像入出力装置の構成を示し、本画像入出力装置３は、カラー画像情報がビットマップ形式で展開される画像メモリ３１を核とし、画像制御回路３２、ＰＣＩバスインタフェース３３、ローカルバスインタフェース３４、画像データバスインタフェース３５で構成される。画像入出力装置３は、検査装置１とは、ＰＣＩバス６を介し、また、被検査装置４として接続されるプリンタとは画像データバスインタフェース３５と直結される。このため、主記憶装置１２に格納されたプリンタドライバ１２３を介さずにパターンジェネレータ１２２を使用して検査パターンを直接プリンタエンジンに出力することができる。画像制御回路３２はこのためのラスタライジング処理を行う。
【００３７】
図８は、本発明の画像色ずれ検査装置の動作を示すフローチャートであり、詳しくは図４に示すパターン計測・評価プログラムによる画像色ずれ検査のための処理手順が示されている。
【００３８】
以下、図８を参照しながら図１乃至図７に示す本発明実施形態の動作について詳細に説明する。まず、検査装置１は、上記した方法により検査パターンを生成して、画像入出力装置２（３）を介し、被検査装置４である複写機あるいはプリンタに供給して印刷処理を行う（ステップＳ８１、Ｓ８２）。印刷された検査パターンは、複写機のスキャナ部、あるいは外部接続されるスキャナ装置５によって再び検査装置１に取り込まれ保存する（ステップＳ８３）。なお、印刷された各単色のＬ時パターンは、複写機のスキャナ部、あるいはスキャナ装置５により、赤（Ｒ）、緑（Ｇ）、青（Ｂ）の３つの色信号として取り込まれ、画像入出力装置２内の画像メモリ２１に保存される。
【００３９】
次に、検査装置１は、画像メモリ２１からまずＲ画像のみを抽出し、検査装置１内のワークエリア１２７に読み出す（ステップＳ８４）。補色の関係からＲ画像は黒とシアン色のＬ字パターンを明瞭に判別することができる。次に、検査シートにおける左上隅の１組（４個のＬ字パターン）のパターンが入っている領域の画像を切り出し（ステップＳ８５）、黒とシアンそれぞれのＬ字パターンの交点座標（Ｘ、Ｙ）を計測する（ステップＳ８６）。なお、計測アルゴリズムについては後述する。そして、黒パターン交点座標を基準として、シアンパターン交点座標の相対位置（Ｘ、Ｙ）を算出する（ステップＳ８７）。次に、先に求めた相対座標を、パターン設計値の相対座標と比較し、設計値（理想値）に対するずれ量（Ｘ、Ｙ）を算出する（ステップＳ８８）。そしてそのずれ量をパターン１におけるシアン色の位置ずれと判断する。上記ステップＳ８５〜Ｓ８８にいたる処理を検査シート上に印刷された全Ｌ字パターンに対して順次行う（ステップＳ８９）。次に、論理演算部１１９で検査シート全面のＬ字パターンに対して算出されたずれ量の平均値と最大値を求める（ステップＳ１００）。
【００４０】
次に、画像メモリ２１からＧ画像のみを抽出して検査装置１のワーク領域１２７に読み出す。補色の関係よりＧ画像は黒とマゼンタのＬ字パターンを明瞭に判別することが出来る。上記したステップＳ８５〜Ｓ８８に相当するＧ画像のステップＳ９０〜Ｓ９３を検査シート上に印刷された全面のパターンに対し順次行い（ステップＳ９４）、論理演算部１１９で検査シート全面のパターンに対して算出されたずれ量の平均値と最大値を求める。最後に、画像メモリ２１からＢ画像のみを抽出して検査装置１のワーク領域１２７に読み出す。補色の関係よりＢ画像は、ブラックとイエローのＬ字パターンを明瞭に判別することが出来る。上記したステップＳ８５〜Ｓ８８に相当するＢ画像のステップＳ９５〜Ｓ９８を検査シート上に印刷された全面のパターンに対し順次行い（ステップＳ９９）、論理演算部１１９で検査シート全面のパターンに対して算出されたずれ量の平均値と最大値を求める。
【００４１】
最終的に論理演算部１１９は、上記計測結果を使用し、印刷工程において使用されるＣ、Ｍ、Ｙ各色材のずれ量の平均値と最大値を、あらかじめ決められた規格値と比較することにより合否判定を行う。否の場合、異常通知を発し終了する（ステップＳ１０４）。合格の場合、論理演算部１１９は、更に算出された位置ずれ量に基づき、当該位置ずれ量が最も小さくなるように調整量を算出する（ステップＳ１０２）。そして、タイミング調整部１２１を起動し、算出された調整量に基づく印刷タイミングの調整を行う（ステップＳ１０３）。
【００４２】
このタイミング調整の具体例につき図１５を用いて説明する。例えば、図１に示す本発明実施形態において、まず、検査装置１が製品内部パターン出力モードにて位置ずれ計測画像出力を行い、当該出力画像を計測用スキャナ５にセットするものとする。このことにより、検査装置１は、製品自己検査モードで出力画像を走査し、画像入出力ボード２内蔵のメモリにその画像データを取り込み上記したアルゴリズムに従うＫＣＭＹ相対位置ずれ量を算出する。そして、ＫＣＭＹ各計測ポイントにおいて位置ずれ量が最も小さくなるように調整量を算出する。図１５にその具体例が示されている。
【００４３】
左に示す例では、基準色であるＫ（黒）に対してＣ（シアン）の位置が等量だけ全体的に後端側にシフトしている。従って、Ｃを副レジスト調整する必要がある。また、右に示す例では、Ｃの副走査方向における倍率誤差異常が認められ、ここではＣの副レジスト量を調整して位置ずれの平均値が最も小さくなるように調整する必要がある。位置ずれの平均値を最も小さくなるように調整すれば位置ずれの最大値も最も小さくすることができる。いずれの例においても図５に示す論理演算部１１９が図８に示す手順で算出し、タイミング調整部１２１を介し、被検査装置の印刷タイミング調整回路を駆動して印刷タイミングの調整を行う。
【００４４】
なお、上記した例は、自己調整モードにおける動作であるが、遠隔診断、調整モード時には、通信回線を介して検査装置が、被検査装置の、例えばコピー枚数等装置の稼動状況データを取得し、あらかじめ登録された生産時のデータから位置ずれ調整量を算出し、これを再び通信回線経由で被検査装置に供給することでタイミング調整を行う。
【００４５】
図１６は、遠隔診断、調整モードにおいて使用される画像位置ずれ診断システムの構成例を示すブロック図である。図において、１００は、被検査装置としての、例えば複写機を含むユーザ側装置であり、このユーザ側装置１００は、通信回線としての公衆回線２００を介してサービス拠点にあるセンタコンピュータ（ＣＳＳ３００）と接続されている。ユーザ側装置１００は、ラインアダプタ装置１０４を介して複写機（ＰＰＣ）１０１、１０２が、ＲＳ４８５インターフェース１０３経由で、例えば５台までマルチドロップ接続されているものとする。ラインアタプタ装置１０４は、公衆回線２００を介してＣＳＳセンタ端末との間で本発明の遠隔診断を含むデータの授受を行うものであり、一般電話との切り替え機能、モデム機能、そして通信制御機能を合わせ持つ。ここでは、最大５台のＰＰＣが接続でき、他に、ユーザの部門料金管理やＣＳＳの情報を表示するための管理端末１０５や最大で２７台のキーカードカウンタが接続可能である。ラインアダプタ１０４は、２４時間通電され、ＰＰＣ１０１、１０２が電源ＯＦＦの場合であってもサービス拠点に位置するＣＳＳセンタ端末３００との間で通信が可能である。
【００４６】
図１７、図１８は、図１６に示される複写機内蔵のパーソナルインタフェース装置（ＰＩ）１０１０及びＰＰＣメインコントローラ１０２０の内部構成を示すブロック図であり、それぞれＰＩ（１０１０）の内部処理形態にしたがって区分される。
【００４７】
ＰＰＣ１０１（１０２）内蔵のメインコントローラ１０２０は、ＰＩボード１０１０を経由してラインアダプタ１０４に接続される。なお、ＰＩインタフェースボード１０１０の構成をメインコントローラ１０２０に組み込むことも可能である。図１７に示す例は、ＰＩボード１０１０がメインコントローラ１０２０内蔵のＣＰＵ１０２１に直結されるパラレルタイプを示す。このとき、メインコントローラ１０２０とＰＩボード１０１０間の情報のやりとりは、デュアルポートＲＡＭ（ＤＰ−ＲＡＭ）１０１２を介して行われる。また、図１８に示す例は、ＰＩボード１０１０とメインコントローラ１０２０は、それぞれが内蔵するＵＡＲＴ（Universal  Asynchronous  Receiver  &  Transmitter）１０１５、１０２３経由で接続される。
【００４８】
なお、図中、１０１１はＰＩボード１０１０内蔵ＣＰＵ、１０１３はトランシーバ、１０１４はＰＩボード１０１０内蔵のＣＰＵバス、１０２２はＰＰＣメインコントローラ１０２０内蔵のＣＰＵバスである。
【００４９】
上記構成において、ＰＰＣ１０１、１０２が行う処理には、ＰＰＣ１０１、０１２がイベント発生元となって送信する通報処理と、ラインアダプタ１０４を介しＣＳＳセンタ端末３００から要求があったときに応答する処理の２系統に大別される。
【００５０】
ＰＰＣ１０１、１０２に通報要因が発生した場合に行なう処理として以下のものがある。一つは、緊急コールである。緊急コールは、ＰＰＣに地右方要因が発生したときに直ちにＣＳＳセンタ端末３００へ通報するものである。他の一つは、アラームコールである。ジャム発生等のアラームコールは、緊急性はないものの異常が発生していることを通報するものである。ＰＰＣからラインアダプタ１０４に対し、緊急コール同様、送信要因が発生した場合に直ちに通報されるが、ラインアダプタ１０４からＣＳＳセンタ端末３００への通報は１日に１回決まった時刻にバッチで行なわれる。
【００５１】
ラインアダプタ１０４からＣＳＳセンタ端末３００側に処理要求が発せられるものとして、Read処理、Write処理、Execute処理、デバイスコード確認処理の４つがある。ＰＰＣ１０１、１０２は、以下の要求を受信した場合には必ず結果を返送する必要がある。Read処理は、ＰＰＣの内部情報を取り込む処理であり、Write処理は、ＰＰＣの内部情報を書き換える処理である。本要求には必ず更新するためのデータが伴う。Execute処理は、ＰＰＣの駆動テストやメモリクリア等動作の実行を要求する処理であり、要求動作を捕捉するための情報が付加される。デバイスコード確認処理は、通信機能をチェックするための処理である。
【００５２】
本発明における遠隔診断システムは、この“Read処理”、“Write処理”、“Execute処理”を適宜使用して行なわれる。すなわち、遠隔診断、調整モード時、被診断装置となる、例えば、ＰＰＣ１０１は、図８に示す手順に従い、まず、印刷プロセスに使用される色材毎用意される単色Ｌ字検査パターンを隣接させ規則性をもって複数生成出力し、この出力された単色Ｌ字パターンを順次読み取って、ＲＧＢ信号として取り込み、基準Ｌ字パターンに対する各単色Ｌ字パターンの相対座標位置を計測してあらかじめ規定された理想相対座標位置と比較し、各単色Ｌ字パターンの主走査方向ならびに副走査方向の位置ずれ量を計測し、当該計測結果をラインアダプタ１０４、そして、公衆回線２００経由で診断装置となるＣＳＳセンタ端末装置３００に送信する。
【００５３】
画像位置ずれ計測結果を公衆回線２００経由で受信した診断装置は、結果の判定を行い、被診断装置の診断もしくはその調整量を算出し、応答のためのWrite処理を行う。
【００５４】
図９乃至図１３は、図８に示す交点座標計測（ステップＳ８６、Ｓ９１、Ｓ９６）のためのアルゴリズムを説明するために引用したフローチャートであり、図１５はその動作を説明するために引用した動作概念図である。
【００５５】
以下、図９乃至図１３ならびに図１４を参照しながら交点座標計測のためのアルゴリズムについて詳細に説明する。
【００５６】
本発明のカラー画像位置ずれ検査方法において、Ｌ字パターンの交点座標を計測するのに、検査装置１は、まず、主記憶装置１２内にあるカラー画像ファイル１３０からＲＧＢの単色画像ファイルを所定量読出してワーク領域１２７に書き込む（ステップＳ９１１）。そして、区画単位でパターンを切り出し（ステップＳ９１２）、以下の計測作業がはじまる。
【００５７】
この計測作業は、基本的には、区画内のそれぞれのＬ字パターンに対し基準パターン（黒）の主副走査方向位置の粗検出を行った後（ステップＳ９１３、Ｓ９１４）、基準パターンの主副走査方向位置の高精度検出を行い（ステップＳ９１５、Ｓ９１６）、基準パターン位置座標を確定する（ステップＳ９１７）ことにより行われる。更に、補色関係にある色パターン位置座標を上記した基準パターン同様のアルゴリズムによって位置座標を確定する。
【００５８】
基準（色）パターンの主走査方向位置の粗検出を行うための手順が図１０にフローチャートで示されている。また、図１４にその動作概念図が示されている。
【００５９】
以下、図１０を参照しながら図１４に示す動作概念図について説明する。検査装置１は、まず、主記憶装置１２内にあるカラー画像ファイル１３０から単色画像のみワーク領域１２７へ呼び出し、必ず線が存在すると考えられる粗検出位置の画像領域を切り出す（図１４ａ、ｂ、ｃ及び図１０のステップＳ９１３１）。次に、積和データの算出を行う（図１４ｄ及び図１０のステップＳ９１３２）。ここでは、切り出された、例えば１０×１００の領域内の縦に並ぶ１０個の画素値を足し、その積和値を横方向にならべたものが図示するグラフになる。本発明実施形態では、積和値を逆転させているため、黒い画像部分がピークになる。そして、波形を平滑化処理して波形整形する（ステップＳ９１３３）。次に、波形のピーク位置を検出し、検出したピーク値を含む前後３画素のデータに基づきスプライン処理を行い、更に波形を整形する（図１４ｅ、ｆ及び図１０のステップＳ９１３４、Ｓ９１３５）。
【００６０】
そして、得られるスプライン曲線からピーク値を求め（ステップＳ９１３６）、スプライン曲線算出に用いた両端データの高い方のデータ値を求める（ステップＳ９１３７）。次に、先のステップＳ９１３６、Ｓ９１３７の処理に基づき得られるデータ間の下から１／３を閾値（スレッショルドレベル）としてスプライン波形の山の幅を求め、これを線幅とする。（図１４ｇ及び図１０のステップＳ９１３８）更に、上記幅の中心位置を求め、基準パターン線の主走査方向粗位置とする（ステップＳ９１３９）。
【００６１】
基準（色）パターンの副走査方向位置の粗検出を行うための手順が図１１にフローチャートで示されている。検査装置１は、まず、主記憶装置１２内にあるカラー画像ファイル１３０から単色画像のみワーク領域１２７へ呼び出し、必ず線が存在すると考えられる粗検出位置の画像領域を切り出す（ステップＳ９１４１）。次に、積和データの算出を行う（ステップＳ９１４２）。ここでは、切り出された、例えば１０×１００の領域内の縦に並ぶ１０個の画素値を足し、その積和値を横方向にならべたものが図示するグラフになる。本発明実施形態では、積和値を逆転させているため、黒い画像部分がピークになる。そして、波形を平滑化処理して波形整形する（ステップＳ９１４３）。次に、波形のピーク位置を検出し、検出したピーク値を含む前後３画素のデータに基づきスプライン処理を行い、更に波形を整形する（ステップＳ９１４４、Ｓ９１４５）。
【００６２】
そして、得られるスプライン曲線からピーク値を求め（ステップＳ９１４６）、スプライン曲線算出に用いた両端データの高い方のデータ値を求める（ステップＳ９１４７）。次に、先のステップＳ９１４６、Ｓ９１４７の処理に基づき得られるデータ間の下から１／３を閾値（スレッショルドレベル）としてスプライン波形の山の幅を求め、これを線幅とする。（ステップＳ９１４８）更に、上記幅の中心位置を求め、基準パターン線の副走査方向粗位置とする（ステップＳ９１４９）。
【００６３】
基準（色）パターンの主走査方向位置の高精度検出を行うための手順が図１２にフローチャートで示されている。図１２において、検査装置１は、基準パターン副走査方向位置の粗検出処理（図１１のステップＳ９１４１〜Ｓ９１４９）で取得したパターンの副走査方向粗検出位置データを元に、パターン交点直近の画像領域を切り出す（ステップＳ９１５１）。次に、主走査方向の画像データヒストグラムを取得する（ステップＳ９１５２）そして、ヒストグラム波形を平滑化処理して、波形を整形する（ステップＳ９１５３）。次に、波形のピーク位置を検出し、検出したピーク値を含む前後３画素のデータに基づきスプライン処理を行い、更に波形を整形する（ステップＳ９１５４、Ｓ９１５５）。
【００６４】
そして、得られるスプライン曲線からピーク値を求め（ステップＳ９１５６）、スプライン曲線算出に用いた両端データの高い方のデータ値を求める（ステップＳ９１５７）。次に、先のステップＳ９１５６、Ｓ９１５７の処理に基づき得られるデータ間の下から１／３を閾値（スレッショルドレベル）としてスプライン波形の山の幅を求め、これを線幅とする。（ステップＳ９１３８）更に、上記幅の中心位置を求め、基準パターン線の主走査方向位置とする（ステップＳ９１３９）。
【００６５】
基準（色）パターンの副走査方向位置の高精度検出を行うための手順が図１３にフローチャートで示されている。図１３において、検査装置１は、基準パターン主走査方向位置の粗検出処理（図１０のステップＳ９１３１〜Ｓ９１３９）で取得したパターンの主走査方向粗検出位置データを元に、パターン交点直近の画像領域を切り出す（ステップＳ９１６１）。次に、主走査方向の画像データヒストグラムを取得する（ステップＳ９１６２）そして、ヒストグラム波形を平滑化処理して、波形を整形する（ステップＳ９１６３）。次に、波形のピーク位置を検出し、検出したピーク値を含む前後３画素のデータに基づきスプライン処理を行い、更に波形を整形する（ステップＳ９１６４、Ｓ９１６５）。
【００６６】
そして、得られるスプライン曲線からピーク値を求め（ステップＳ９１６６）、スプライン曲線算出に用いた両端データの高い方のデータ値を求める（ステップＳ９１５７）。次に、先のステップＳ９１６６、Ｓ９１６７の処理に基づき得られるデータ間の下から１／３を閾値（スレッショルドレベル）としてスプライン波形の山の幅を求め、これを線幅とする。（ステップＳ９１６８）更に、上記幅の中心位置を求め、基準パターン線の副走査方向位置とする（ステップＳ９１６９）。
【００６７】
そして、図１２、図１３に示す処理手順に従い求めたパターン線位置を延長し、その交点座標を基準位置パターン座標として確定する。更に、色パターン位置座標についても上記した基準パターン位置計測と同様の手順で求め、色パターン座標として確定する。
【００６８】
なお、上述した本発明実施形態では、カラー画像の位置ずれ検査についてのみ例示したが、画像入出力装置２（３）の接続インタフェースに、ＲＧＢ信号の切り替え手段を付加し、色信号毎に計測処理することでモノクロタイプのスキャナコントローラを用いても同様のシステム構築が実現できる。ただし、この場合、コスト的な効果は得られるものの、座標位置計測のために３スキャン要し、その間の時間を余分に必要とする。
【００６９】
上記した実施形態では、被検査装置４として接続される複写機のスキャナ部あるいは、被検査装置４としてプリンタが接続された場合、外部接続されるスキャナ装置５から検査装置１に取り込む色信号をスキャン毎順次切り替える。そして、画像入出力装置２（３）の信号インタフェースで、まずＲ信号を選択し、Ｒ信号のみのパターンを検査装置１に取り込む。Ｒ信号の場合、上記したように補色の関係からブラックとシアンのパターンが明瞭に判別できるため、両パターンの交点座標を計測する。そして、理想値であるパターン設計値と比較し、シアンパターンのずれ量を求める。上記各処理は、検査シート全面に印刷されたパターンについて行う。
【００７０】
次に、信号インタフェースでＧ信号、B信号を順次選択し、それぞれＧ信号、Ｂ信号のみを検査装置１に取り込む。前者はブラックとマゼンダ色のパターンが明瞭に判別でき、後者はブラックとイエローのパターンが明瞭に判別できるため、それぞれ両パターンの交点座標を計測する。そして、理想値であるパターン設計値と比較し、シアンパターンのずれ量を求める。上記各処理は、検査シート全面に印刷されたパターンについて行う。このことにより、色信号毎に計測処理することでモノクロタイプのスキャナを用いても同様のシステム構築を行うことが可能となる。
【００７１】
また、上述した本発明実施形態では、１区画パターン内での基準パターン、ここではパターンとしての判別の容易性からブラックに対する相対位置を計測して検査するものとしたが、ブラックに制限されず、例えば、現像の順序を考慮した場合にはイエローを基準としても構わない。また、この検査と同時にパターンの紙上での絶対位置も計測することにより印刷品質の検査を行うこともできる。この場合、紙面の４隅、あるいはそれ以上のポイントにマークを付し、このマークを検出することにより、レジスト（先端、横）、倍率誤差、倍率偏差（縦、横）、平行度、スキュー、直線性、紙長等の検査も行なわれることになる。このことにより、一層印刷品質の良好な印刷装置を提供できる。
【００７２】
なお、図８乃至図１３に開示されたフローチャートは、パターン計測、評価プログラム１２６の動作手順を示すものであり、このプログラム１２６の動作時には、図４に示す主記憶装置１２にローディングされ割り付けられるものであり、常時は、ハードディスク装置１３に退避される。あるいは光ディスク等の記録媒体に記録されて頒布されるものであり、必要に応じてシステムにインストールされ、使用される。また、インタネット等の通信媒体を介して供給する形態も考えられる。
【００７３】
【発明の効果】
以上説明のように本発明は、印刷プロセスに使用される色材毎用意される単色Ｌ字検査パターンを隣接させ規則性をもって複数生成出力し、その出力された検査パターンをスキャナで読みとって位置ずれ量を演算することによって主走査方向、副走査方向の位置ずれ量を計測し、規格値と比較することによって調整量を算出し規格内になるように遠隔診断を行うものであり、このことにより、各単色Ｌ字パターンの主走査方向ならびに副走査方向の色ずれの検査を自動で、かつ、人間の視覚に正確に対応して行うことができる。また、遠隔診断を行い、必要に応じてサービスマンを派遣し、そのずれ量に基づく印刷タイミングの調整が可能となる。
【００７４】
カラー印刷装置では、ＫＣＭＹ４色のトナー、インクにより印刷を行い、ＣＭＹ色の重ね合わせによって色を合成しており、従来この合成過程において重ね合わせる色の位置がずれると本来の色とは異なる色が合成されることになり、特に、線画や文字部分では画像の品質が著しく劣化していたが、本発明により位置ずれ量の保証がなされるため、各色の印刷位置の位置精度が向上し印刷品質の向上がはかれる。また、主副両方向とも目視検査を行うには十文字パターンが有効であり、この目視評価用パターンと上述したＬ字の機械検査用パターンを交互に配置することによって両者に共用できる検査パターンとなる。従って、機械検査と目視検査を主副両走査方向に並行して行うことができ、色ずれの程度を正確に、かつ、人間の視覚に対応した色ずれ量を検知することができる。
【図面の簡単な説明】
【図１】本発明の一実施形態を示すブロック図である。
【図２】本発明の他の実施形態を示すブロック図である。
【図３】本発明において使用される検査シートに印刷されるＬ字パターンを示す図である。
【図４】図１、図２に示す検査装置の内部構成を示すブロック図である。
【図５】図４におけるＣＰＵの機能ブロック図である。
【図６】図１に示す画像入出力装置の内部構成を示すブロック図である。
【図７】図２に示す画像入出力装置の内部構成を示すブロック図である。
【図８】本発明実施形態の動作手順をフローチャートで示した図である。
【図９】本発明において使用されるパターン位置計測アルゴリズムを説明するために引用したフローチャートである。
【図１０】本発明において使用されるパターン位置計測アルゴリズムを説明するために引用したフローチャートである。
【図１１】本発明において使用されるパターン位置計測アルゴリズムを説明するために引用したフローチャートである。
【図１２】本発明において使用されるパターン位置計測アルゴリズムを説明するために引用したフローチャートである。
【図１３】本発明において使用されるパターン位置計測アルゴリズムを説明するために引用したフローチャートである。
【図１４】本発明実施形態の動作を説明するために引用した動作概念図である。
【図１５】本発明実施形態の動作を説明するために引用した図であり、調整事例の一例を示す図である。
【図１６】本発明における遠隔診断システムの構成例を示すブロック図である。
【図１７】図１６における複写機内蔵のコントローラ周辺の一実施形態を示すブロック図である。
【図１８】図１６における複写機内蔵のコントローラ周辺の他の実施形態を示すブロック図である。
【符号の説明】
１                検査装置
２（３）          画像入出力装置（パターンジェネレータボード）
４                被検査装置
５                計測用スキャナ装置
６                ＰＣＩバス
７                専用ビデオインタフェース
９                専用プリンタインタフェース
１０              検査シート
２１（３１）      画像メモリ
２２（３２）      画像制御回路
２３              データセレクタ
２４（３３）      ＰＣＩバスインタフェース
３４              ローカルバスインタフェース
３５              画像データバスインタフェース
１０１（１０２）  複写機（ＰＰＣ）
１０３            ＲＳ−４８５インタフェース
１０４            ラインアダプタ
１１１            パターン生成出力部
１１２            カラー画像抽出部
１１３            ワークメモリ
１１４            パターン切り出し部
１１５            交点座標計測部
１１６            相対位置算出部
１１７            ずれ量算出部
１１８            制御部
１１９            論理演算部
１２０            テーブルメモリ
１２１            タイミング調整部
２００            公衆回線
３００            ＣＳＳセンタ端末
【図１】
0004276355.tif 000002
【図２】
0004276355.tif 000003
【図３】
0004276355.tif 000004
【図４】
0004276355.tif 000005
【図５】
0004276355.tif 000006
【図６】
0004276355.tif 000007
【図７】
0004276355.tif 000008
【図８】
0004276355.tif 000009
【図９】
0004276355.tif 000010
【図１０】
0004276355.tif 000011
【図１１】
0004276355.tif 000012
【図１２】
0004276355.tif 000013
【図１３】
0004276355.tif 000014
【図１４】
0004276355.tif 000015
【図１５】
0004276355.tif 000016
【図１６】
0004276355.tif 000017
【図１７】
0004276355.tif 000018
【図１８】
0004276355.tif 000019